(57)【特許請求の範囲】
【請求項１】
複数金種の棒金硬貨を収納可能な棒金収納庫であって、収納庫本体、前記収納庫本体に対して引き出し自在に設けられ特定金種の棒金硬貨をそれぞれ１本ずつ収納可能な複数の棒金収納部が設けられた棒金ドロア、および前記棒金ドロアの各棒金収納部ごとに棒金硬貨の有無を検出する棒金有無検出部を有する棒金収納庫と、
この棒金収納庫の近傍に配設された貨幣処理機であって、外部から貨幣を受け入れる貨幣受入部、前記貨幣受入部により受け入れられた貨幣を金種別に収納する貨幣収納部、および前記貨幣収納部に収納されている貨幣を外部に放出するための貨幣放出部を有する貨幣処理機と、
前記貨幣処理機の貨幣収納部に収納されている貨幣を前記貨幣放出部より自動的に放出させるように制御する制御手段であって、操作者が指示を与えるためのユーザ指示部および前記貨幣処理機に指令を与える指令部を有し、前記ユーザ指示部において操作者によって第１の指示が送られてから第２の指示が送られるまでの期間に前記棒金収納庫の棒金ドロアに新たに収納された棒金硬貨の金種および本数を前記棒金有無検出部の検出結果に基づいて算出し、第２の指示が送られたときに前記貨幣収納部に収納されている貨幣のうち前記棒金ドロアに新たに収納された棒金硬貨と等価の貨幣を前記貨幣放出部より放出させるよう前記指令部が指令を与えるような制御手段と、
を備えたことを特徴とする釣銭補充管理システム。
【請求項２】
前記制御手段のユーザ指示部は前記貨幣処理機に設けられていることを特徴とする請求項１記載の釣銭補充管理システム。
【請求項３】
前記制御手段は、前記ユーザ指示部において操作者によって第１の指示が送られてから第２の指示が送られるまでの期間のみにおいて前記棒金ドロアを前記収納庫本体から引き出すことができるよう前記棒金収納庫の制御を行うことを特徴とする請求項１または２記載の釣銭補充管理システム。
【請求項４】
前記貨幣処理機は、前記貨幣のうち硬貨の出し入れを行う硬貨釣銭機と、前記貨幣のうち紙幣の出し入れを行う紙幣釣銭機とから構成されることを特徴とする請求項１乃至３のいずれか一項に記載の釣銭補充管理システム。
【請求項５】
前記制御手段の指令部は、前記棒金ドロアに新たに収納された棒金硬貨と等価の貨幣を、当該貨幣の数量が最小となるような金種および数量の組合せで前記貨幣放出部より放出させるよう指令を与えることを特徴とする請求項１乃至４のいずれか一項に記載の釣銭補充管理システム。
【請求項６】
前記制御手段のユーザ指示部において操作者によって第１の指示が送られてから第２の指示が送られるまでの期間において前記棒金収納庫の棒金ドロアに収納されている棒金硬貨の合計金額が減少したことが算出されたときには前記指令部は前記貨幣処理機に対して貨幣の放出を行わないよう指令を与えることを特徴とする請求項１乃至５のいずれか一項に記載の釣銭補充管理システム。
【発明の詳細な説明】
【技術分野】
【０００１】
本発明は、複数金種の棒金硬貨（同一金種の硬貨を一定枚数だけ棒状にまとめて包装したもの）を収納可能な棒金収納庫と、硬貨や紙幣等の貨幣の処理を行うための貨幣処理機とを備えた釣銭補充管理システムに関し、とりわけ、棒金収納庫に収納された棒金硬貨の包装を解いて得られたバラ硬貨を釣銭用として硬貨釣銭機に補充する際の管理を行うための釣銭補充管理システムに関する。
【背景技術】
【０００２】
上記のような釣銭補充管理システムとしては、例えば特許文献１に記載されたものがある。特許文献１に記載されたシステムは、硬貨釣銭機や紙幣釣銭機を含むＰＯＳレジスタと、このＰＯＳレジスタに通信接続された包装硬貨処理装置とを備えている。このシステムにおいては、必要に応じて包装硬貨処理装置から棒金硬貨（包装硬貨）を投出し、この棒金硬貨の包装を解いて得られたバラ硬貨を釣銭用としてＰＯＳレジスタの硬貨釣銭機に補充するようにしている。
【０００３】
【特許文献１】特開２００３−２６３６８２号公報
【発明の開示】
【発明が解決しようとする課題】
【０００４】
特許文献１に示すような従来の釣銭補充管理システムにおいては、硬貨釣銭機内の特定金種の硬貨がニアエンプティ状態（ほとんどない状態）となったときには、包装硬貨処理装置からその特定金種の棒金硬貨を取り出して、この棒金硬貨の包装を解いてバラ硬貨とし、硬貨釣銭機に当該バラ硬貨を補充する。
【０００５】
而して、このようなバラ硬貨の補充を繰り返すと、包装硬貨処理装置内の特定金種の棒金硬貨がニアエンプティ状態となり、棒金硬貨の補充が必要となる。一般的に、棒金硬貨は店舗の出納室等で管理されており、この出納室から棒金硬貨を調達することとなる。この際に、現金の管理上、出納室から持ち出される棒金硬貨と等価（同じ金額）の貨幣を出納室に納める必要がある。
【０００６】
このため、出納室から棒金硬貨を持ち出し、釣銭補充管理システムの包装硬貨処理装置にこの棒金硬貨を補充した際には、この補充した棒金硬貨と等価の紙幣や硬貨を紙幣釣銭機または硬貨釣銭機から取り出し、この取り出された紙幣を出納室に納めなければならなかった。この作業は、レジ係員等にとって大きな負担となっている。
【０００７】
本発明は、このような点を考慮してなされたものであり、操作者の負担を軽減することができるとともに棒金硬貨の補充に関する一連の作業にかかる時間を低減することができる釣銭補充管理システムを提供することを目的とする。
【課題を解決するための手段】
【０００８】
本発明は、複数金種の棒金硬貨を収納可能な棒金収納庫であって、収納庫本体、前記収納庫本体に対して引き出し自在に設けられ特定金種の棒金硬貨をそれぞれ１本ずつ収納可能な複数の棒金収納部が設けられた棒金ドロア、および前記棒金ドロアの各棒金収納部ごとに棒金硬貨の有無を検出する棒金有無検出部を有する棒金収納庫と、この棒金収納庫の近傍に配設された貨幣処理機であって、外部から貨幣を受け入れる貨幣受入部、前記貨幣受入部により受け入れられた貨幣を金種別に収納する貨幣収納部、および前記貨幣収納部に収納されている貨幣を外部に放出するための貨幣放出部を有する貨幣処理機と、前記貨幣処理機の貨幣収納部に収納されている貨幣を前記貨幣放出部より自動的に放出させるように制御する制御手段であって、操作者が指示を与えるためのユーザ指示部および前記貨幣処理機に指令を与える指令部を有し、前記ユーザ指示部において操作者によって第１の指示が送られてから第２の指示が送られるまでの期間に前記棒金収納庫の棒金ドロアに新たに収納された棒金硬貨の金種および本数を前記棒金有無検出部の検出結果に基づいて算出し、第２の指示が送られたときに前記貨幣収納部に収納されている貨幣のうち前記棒金ドロアに新たに収納された棒金硬貨と等価の貨幣を前記貨幣放出部より放出させるよう前記指令部が指令を与えるような制御手段と、を備えたことを特徴とする釣銭補充管理システムである。
【０００９】
このような釣銭補充管理システムによれば、棒金収納庫において特定金種の棒金硬貨を補充する際に、操作者は単にユーザ指示部に第１の指示を与え、その後棒金硬貨を棒金ドロアに補充し、そして第２の指示を与えることにより、補充した棒金硬貨と等価の貨幣が貨幣処理機から放出されることとなる。このことにより、操作者は補充した棒金硬貨と等価の貨幣を貨幣処理機から手動で取り出すという手間を省くことができるようになり、操作者の負担を軽減することができるとともに一連の補充作業にかかる時間を低減することができる。また、制御手段には棒金収納庫の棒金有無検出部により検出された棒金硬貨の金種および有無に関する情報が送られ、この情報に基づいて当該制御手段が貨幣処理機に直接指令を与えているので、外部にＰＯＳレジスタ等を設置する必要がなくなり、システム全体をよりコンパクトなものとすることができるようになる。
【００１０】
本発明の釣銭補充管理システムにおいては、前記制御手段のユーザ指示部は前記貨幣処理機に設けられていることが好ましい。このことにより、操作者の操作性を向上させることができる。
【００１１】
本発明の釣銭補充管理システムにおいては、前記制御手段は、前記ユーザ指示部において操作者によって第１の指示が送られてから第２の指示が送られるまでの期間のみにおいて前記棒金ドロアを前記収納庫本体から引き出すことができるよう前記棒金収納庫の制御を行うことが好ましい。このことにより、操作者による棒金ドロアの引き出し／押込みが規制されるようになり、操作者が例えば第１の指示を送る前に棒金ドロアに棒金硬貨を収納してしまうといった誤操作を防止することができるようになる。
【００１２】
本発明の釣銭補充管理システムにおいては、前記貨幣処理機は、前記貨幣のうち硬貨の出し入れを行う硬貨釣銭機と、前記貨幣のうち紙幣の出し入れを行う紙幣釣銭機とから構成されることが好ましい。
【００１３】
本発明の釣銭補充管理システムにおいては、前記制御手段の指令部は、前記棒金ドロアに新たに収納された棒金硬貨と等価の貨幣を、当該貨幣の数量が最小となるような金種および数量の組合せで前記貨幣放出部より放出させるよう指令を与えることが好ましい。このことにより、貨幣放出部より放出される代替貨幣の数量が最小となることにより操作者の操作性を向上させることができる。
【００１４】
本発明の釣銭補充管理システムにおいては、前記制御手段のユーザ指示部において操作者によって第１の指示が送られてから第２の指示が送られるまでの期間において前記棒金収納庫の棒金ドロアに収納されている棒金硬貨の合計金額が減少したことが算出されたときには前記指令部は前記貨幣処理機に対して貨幣の放出を行わないよう指令を与えることが好ましい。
【発明の効果】
【００１５】
本発明の釣銭補充管理システムによれば、操作者の負担を軽減することができるとともに棒金硬貨の補充に関する一連の作業にかかる時間を低減することができる。
【発明を実施するための最良の形態】
【００１６】
以下、図面を参照して本発明の一の実施の形態について説明する。図１乃至図８は、本発明による釣銭補充管理システムの実施の形態を示す図である。
【００１７】
このうち図１は、本発明による釣銭補充管理システムの一の実施の形態を示すブロック図であり、図２は、図１に示した釣銭補充管理システムの棒金収納庫および貨幣処理機を示す斜視図であり、図３は、図２に示した棒金収納庫の内部構造を示す（ａ）上側斜視図および（ｂ）下側斜視図である。
【００１８】
また、図４は、図２に示した棒金収納庫における１つの棒金ドロアの変位を（ａ）閉鎖位置、（ｂ）押込位置、（ｃ）検出開始／終了位置、（ｄ）検出終了／開始位置、（ｅ）引出位置の各位置で示す模式図であり、図５は、図２に示した棒金収納庫における各棒金ドロアと変位検出手段との関係を模式的に示す側面図である。
【００１９】
また、図６は、図２に示した棒金収納庫の制御系を示すブロック図であり、図７は、図３に示したロータリエンコーダおよびセンサの出力信号の例を示す図である。また、図８は、図２に示した硬貨釣銭機および紙幣釣銭機の筐体の前部表面に各々設けられた操作・表示部の構成を示す説明図である。
【００２０】
以下、図１乃至図８を参照して、本実施の形態の釣銭補充管理システムの構成、棒金収納庫、硬貨処理機および制御器の具体的な構成、本実施の形態の作用効果および変形例を順次説明する。
【００２１】
〔釣銭補充管理システムの全体構成〕
図１および図２に示すように、本実施の形態の釣銭補充管理システムは、硬貨や紙幣等の貨幣の処理を行うための貨幣処理機３と、複数金種の棒金硬貨を収納可能な棒金収納庫１と、これらの貨幣処理機３や棒金収納庫１の制御を行うための制御器（制御手段）５とを一体的に備えており、レジ係員等によって操作されるようになっている。図２に示すように、このような釣銭補充管理システムにおいて、棒金収納庫１と貨幣処理機３とは互いに上下方向に隣接している。
【００２２】
貨幣処理機３は、硬貨の出し入れを行う硬貨釣銭機３Ａと、紙幣の出し入れを行う紙幣釣銭機３Ｂとから構成されている。硬貨釣銭機３Ａおよび紙幣釣銭機３Ｂは、それぞれ制御ユニット３６，３７を有しており、これらの制御ユニット３６，３７は制御器５に通信接続されている。また、棒金収納庫１は制御ユニット１６を有しており、この制御ユニット１６も制御器５に通信接続されている。
【００２３】
〔棒金収納庫の構成〕
図２および図３に示すように、棒金収納庫１は、収納庫本体１ａと、この収納庫本体１ａに対してそれぞれ（水平な縦方向に）前方へ手動で引き出し自在に取り付けられた３つの棒金ドロア１１，１２，１３とを有している。各棒金ドロア１１，１２，１３には、特定金種の棒金硬貨を１本ずつ収納可能な棒金収納部１４（図２）が複数設けられている。各棒金収納部１４における棒金硬貨の収納姿勢は、棒金硬貨の軸線が棒金ドロア１１，１２，１３の引き出し方向（縦方向）と直交する横方向を向いた水平姿勢である。
【００２４】
具体的には、例えば、上段の棒金ドロア１１には、８つの１円棒金硬貨用の棒金収納部１４と、２つの５円棒金硬貨用の棒金収納部１４が設けられている。また、中段の棒金ドロア１２には、８つの１０円棒金硬貨用の棒金収納部１４と、２つの５０円棒金硬貨用の棒金収納部１４が設けられている。そして、下段の棒金ドロア１３には、８つの１００円棒金硬貨用の棒金収納部１４と、２つの５００円用棒金硬貨用の棒金収納部１４が設けられている。
【００２５】
また、棒金収納庫１は、棒金ドロア１１，１２，１３の各棒金収納部１４ごとに棒金硬貨の有無および金種を判定するための信号を出力する検出系１８（棒金有無検出部）を備えている。この検出系１８は、例えば棒金ドロア１１，１２，１３が収納庫本体１ａに押しこまれるときにおいて、各棒金収納部１４ごとに棒金硬貨の有無および金種を判定するようになっている。そして、棒金収納庫１の制御ユニット１６は、検出系１８から出力された信号に基づいて特定の棒金ドロア１１，１２，１３の各棒金収納部１４に収納された棒金硬貨の有無および金種を判定する判定手段としての機能を有している。また、棒金収納庫１の収納庫本体１ａの前面には、判定手段としての制御ユニット１６の判定結果に基づいて各金種の棒金硬貨のＦＵＬＬ（満杯）／ＥＭＰＴＹ（品切）等の状態を表示する表示パネル１ｂが設けられている。
【００２６】
なお、本明細書においては、棒金収納庫１の棒金ドロア１１，１２，１３から（通常、レジ係員等によって）取り出された棒金硬貨を「取出棒金硬貨」と称する。
【００２７】
図３には、棒金収納庫１の収納庫本体１ａ（図２）内部に設けられた枠体Ｆが示されている。この枠体Ｆは、各棒金ドロア１１，１２，１３を上記縦方向へスライド可能に保持している。各棒金ドロア１１，１２，１３の底部には透光部分（開口ないし透明部分）１５が形成されている。この透光部分１５は、各棒金ドロア１１，１２，１３における複数の棒金収納部１４（図２）が設けられる範囲にわたって延びるとともに、最前の棒金収納部１４よりも前の棒金ドロア先端付近まで延びている。図５にも示すように、各棒金ドロア１１，１２，１３の左側には、縦方向に延びるラックＲが設けられている。
【００２８】
図４には、３つの棒金ドロア１１，１２，１３を代表して、１つの棒金ドロア１１の、収納庫本体１ａの前面パネル１ｃ（図２参照）を基準とした様々な縦方向位置が示されている。図４において：
（ａ）は、棒金ドロア１１の前面が前面パネル１ｃと略面一となった「閉鎖位置」；
（ｂ）は、棒金ドロア１１が閉鎖位置より更に押し込まれ、棒金ドロア１１の前面が前面パネル１ｃから少し引っ込んだ「押込位置」；
（ｃ）は、棒金ドロア１１の引き出し時に検出系１８（図１）による検出が開始され、棒金ドロア１１の押込み時には検出系１８による検出が終了する「検出開始／終了位置」；
（ｄ）は、棒金ドロア１１の引き出し時に検出系１８による検出が終了し、棒金ドロア１１の押込み時には検出系１８による検出が開始される「検出終了／開始位置」；
（ｅ）は、棒金ドロア１１の全ての棒金収納部１４（図２）に対する棒金硬貨Ｂの収納／取り出しが可能となるまで引き出された「引出位置」；
をそれぞれ示している。なお、図４では、上記検出系１８（図１）を代表して、下記の棒金径センサＳ１が示されている。
【００２９】
図３に示すように、枠体Ｆの前部には、１つの棒金径センサＳ１と、３つの棒金孔センサＳ２１，Ｓ２２，Ｓ２３とが設けられている。棒金径センサＳ１は、３つの棒金ドロア１１，１２，１３の透光部分１５を上下に挟んで互いに対向する位置でフレームＦ（収納庫本体１ａ）に固定された発光ユニットおよび受光ユニットを有している。棒金径センサＳ１は、閉鎖位置（図４（ａ））にある各棒金ドロア１１，１２，１３の最前の棒金収納部１４よりも前方の透光部分１５を光軸が通るように配置されている（図４および図５参照）。
【００３０】
また、各棒金孔センサＳ２１，Ｓ２２，Ｓ２３は、それぞれ棒金ドロア１１，１２，１３に対応して設けられている。各棒金孔センサＳ２１，Ｓ２２，Ｓ２３は、それぞれ対応する棒金ドロア１１，１２，１３を両側から挟んで互いに対向する位置でフレームＦ（収納庫本体１ａ）に固定された発光ユニットおよび受光ユニットを有している。各棒金孔センサＳ２１，Ｓ２２，Ｓ２３は、対応する棒金ドロア１１，１２，１３に収納される棒金硬貨Ｂの中心に対応する高さを光軸が通るよう配置されている。
【００３１】
また、フレームＦの前部左側には、上段の棒金ドロア１１に略対応した高さに単一の２相ロータリエンコーダＥが設けられている。図５に示すように、このロータリエンコーダＥは、下方に延びる入力軸ｅ１を有している。入力軸ｅ１には、各棒金ドロア１１，１２，１３のラックＲに対応する３つのピニオンＰが固定されている。各棒金ドロア１１，１２，１３のラックＲと、対応するピニオンＰとは、少なくとも当該棒金ドロア１１，１２，１３が検出開始／終了位置（図４（ｃ））と検出終了／開始位置（図４（ｄ））との間（閉鎖位置（図４（ａ））と引出位置（図４（ｅ））との間で判定手段による判定に必要な範囲内の位置）にあるときには互いに噛み合い、少なくとも当該棒金ドロア１１，１２，１３が閉鎖位置にあるときには互いに噛み合わないように配置されている。
【００３２】
これにより、ロータリエンコーダＥが、各棒金ドロア１１，１２，１３の縦方向変位に比例した数のパルス信号を出力するように構成されるようになる。すなわち、以上のロータリエンコーダＥ、ラックＲおよびピニオンＰは、収納庫本体１ａに対する各棒金ドロア１１，１２，１３の縦方向変位を検出するための変位検出手段を構成している。
【００３３】
図６に示すように、制御ユニット１６には、上記検出系１８を構成する棒金径センサＳ１、棒金孔センサＳ２１，Ｓ２２，Ｓ２３およびロータリエンコーダＥが接続されている。また、制御ユニット１６には、表示パネル１ｂ（図２参照）、メモリＭおよび通信インターフェイスＴが接続されている。メモリＭには、全ての棒金ドロア１１，１２，１３における、各棒金収納部１４の位置と、各棒金収納部１４に収納されるべき棒金硬貨の金種との対応関係が予め記憶されている。また、通信インターフェイスＴは、制御器５と制御ユニット１６とを通信接続するためのものである。
【００３４】
制御ユニット１６は、ロータリエンコーダＥの出力から特定されるいずれか１つの棒金ドロア１１，１２，１３の縦方向変位と、棒金径センサＳ１および棒金孔センサＳ２１，Ｓ２２，Ｓ２３の各出力とに基づいて、当該棒金ドロアの各棒金収納部１４に収納された棒金硬貨の有無および金種を判定する判定手段としての機能を有している。
【００３５】
具体的には、収納庫本体１ａに対して棒金ドロアを手動で引き出し／押込みする際に、ロータリエンコーダＥ、棒金径センサＳ１および当該棒金ドロアに対応する棒金孔センサＳ２１，Ｓ２２，Ｓ２３は、それぞれ図７に（それらの一部を）示すような信号７０、７２、７４を出力する。これらの出力信号のうち、ロータリエンコーダＥのパルス信号７０によって、収納庫本体１ａに対する棒金ドロア１１，１２，１３の縦方向の変位が特定され、従って各棒金収納部１４の各棒金センサＳ１；Ｓ２１，Ｓ２２，Ｓ２３に対する縦方向の変位が特定される。また、各棒金センサＳ１；Ｓ２１，Ｓ２２，Ｓ２３の信号７２；７４によって、各棒金硬貨の半径方向外縁および内縁（５円および５０円の孔あき硬貨以外の場合は外縁のみ）による透光／遮光（遮光の有無）の遷移が特定される。
【００３６】
このことにより、特定の棒金ドロア１１，１２，１３の各棒金収納部１４ごとに、棒金硬貨Ｂの有無だけでなく、収納されている棒金硬貨Ｂの直径および中心孔の有無も特定することが可能となる。これに基づいて、制御ユニット１６は、各棒金収納部１４に存在する棒金硬貨Ｂが、本来収納すべき金種の棒金硬貨Ｂであるか否かを判定できるようになっている。
【００３７】
〔貨幣処理機の構成〕
前述のように、貨幣処理機３は、硬貨の出し入れを行う硬貨釣銭機３Ａと、紙幣の出し入れを行う紙幣釣銭機３Ｂとから構成されている。
【００３８】
硬貨釣銭機３Ａと紙幣釣銭機３Ｂは、それぞれ：
外部から貨幣（硬貨または紙幣）を受け入れる貨幣受入部（硬貨受入口１１４と紙幣受入口２１４）；
この貨幣受入部から受け入れられた受入貨幣の金種を識別する貨幣識別部（硬貨識別センサ１０１と紙幣識別センサ２０１）；
この貨幣識別部による識別結果に応じて、受入貨幣を金種別に収納する貨幣収納部（硬貨収納部１０６と紙幣収納部２０６）；および
この貨幣収納部に収納されている貨幣を外部に放出するための貨幣放出部（硬貨取出口１１６と紙幣取出口２１６）を備えている。
【００３９】
以下、硬貨釣銭機３Ａおよび紙幣釣銭機３Ｂの構成について、それぞれ具体的に説明する。
【００４０】
図１および図２に示すように、硬貨釣銭機３Ａは、前部に硬貨受入口１１４および硬貨取出口１１６が設けられた筐体１１０を備えている。
【００４１】
また、図１に示すように、硬貨受入口１１４から受け入れた硬貨を一層一列状態で繰り入れるための硬貨繰入機構１０２が設けられている。硬貨繰入機構１０２の後方には、この硬貨繰入機構１０２によって繰り入れられた硬貨を搬送する硬貨搬送路１０３が延びている。この硬貨搬送路１０３の途中には、硬貨の金種等を識別する硬貨識別センサ１０１と、リジェクト硬貨等を排出するための硬貨排出部１０９とが設けられている。硬貨排出部１０９の下方には、排出されたリジェクト硬貨等を収納する機内収納箱１０４が、筐体１１０に対して着脱自在に取り付けられている。
【００４２】
硬貨搬送路１０３の下流側には、硬貨を金種によって選別する金種選別部１０５が設けられている。また、金種選別部１０５によって選別された硬貨を金種別に収納する硬貨収納部１０６と、この硬貨収納部１０６に収納された硬貨を選択的に繰り出す硬貨繰出機構１０８とが備えられている。硬貨繰出機構１０８によって繰り出された硬貨は、硬貨取出口１１６に放出されるようになっている。
【００４３】
図１に示す紙幣釣銭機３Ｂは、筐体２１０と、この筐体２１０内の略中央部に設けられた環状の周回搬送路２０３ａとを備えている。また、筐体２１０内には、紙幣繰入ユニット２０２、紙幣収納部２０６、紙幣放出ユニット２０８、出金リジェクト部２０４および紙幣回収カセット２０７が、周回搬送路２０３ａの外周を取り囲むようにして配置されている。
【００４４】
また、紙幣繰入ユニット２０２、各紙幣収納部２０６、紙幣放出ユニット２０８、出金リジェクト部２０４および紙幣回収カセット２０７と、周回搬送路２０３ａとの間を接続する紙幣の接続搬送路２０３ｂがそれぞれ形成されている。周回搬送路２０３ａの右側部分には、そこを通過する紙幣の金種等を識別するための紙幣識別センサ２０１が設けられている。なお、周回搬送路２０３ａと各接続搬送路２０３ｂとの間で紙幣の搬送経路を切り換える経路切換手段（図示せず）が、周回搬送路２０３ａに沿って配置されている。
【００４５】
図１および図２に示すように、筐体２１０の前面には、紙幣繰入ユニット２０２に対応した紙幣受入口２１４と、紙幣放出ユニット２０８に対応した紙幣取出口２１６とが設けられている。紙幣回収カセット２０７は、筐体２１０に対して着脱自在に取り付けられている。
【００４６】
図１において、紙幣繰入ユニット２０２は、紙幣受入口２１４に挿入された入金紙幣を繰り入れて、それらの紙幣を周回搬送路２０３ａ側へ繰り出すためのものである。また、各紙幣収納部２０６は、紙幣識別センサ２０１による識別結果に応じて紙幣を金種別に収納するためのものであり、通常は１千円紙幣用、２千円紙幣用、５千円紙幣用および１万円紙幣用の４つの紙幣収納部に分けて用いられる。そして、紙幣放出ユニット２０８は、各紙幣収納部２０６から取り出された紙幣を紙幣取出口２１６より放出し、それらの紙幣を外部への抜き取りに供するためのものである。出金リジェクト部２０４は、出金リジェクト紙幣を収納するためのものである。また、紙幣回収カセット２０７は、各紙幣収納部２０６から回収した紙幣を一時的に収納するためのものである。
【００４７】
〔制御器の構成〕
次に、図１および図２を用いて制御器５の構成について詳述する。制御器５は、操作・表示部（ユーザ指示部）５０ａ，５０ｂ、演算部５１および指令部５２を有している。
【００４８】
操作・表示部５０ａは、硬貨釣銭機３Ａの筐体１１０の前部上面に設けられており、また、操作・表示部５０ｂは、紙幣釣銭機３Ｂの筐体２１０の前部上面に設けられている。図８に示すように、操作・表示部５０ａ，５０ｂは、各々、発報ボタン６０、両替ボタン６１、回収ボタン６２、在高ボタン６３、リセットボタン６４およびスタートボタン６５を有している。
【００４９】
ここで、レジ係員等が両替ボタン６１を押すと、操作・表示部５０ａ，５０ｂにおいて棒金硬貨補充開始指示（第１の指示）が与えられるようになっている。また、レジ係員が両替ボタン６１を押した後にスタートボタン６５を押すと、操作・表示部５０ａ，５０ｂにおいて棒金硬貨補充終了指示（第２の指示）が与えられるようになっている。
【００５０】
図１に示すように、演算部５１は、操作・表示部５０ａ，５０ｂにそれぞれ通信接続されているとともに、棒金収納庫１の制御ユニット１６に通信インターフェイスＴを介して通信接続されている。この演算部５１は、操作・表示部５０ａ，５０ｂにおいて操作者によって棒金硬貨補充開始指示が送られてから棒金硬貨補充終了指示が送られるまでの期間に、棒金収納庫１の各棒金ドロア１１，１２，１３に新たに収納された棒金硬貨の金種および本数を算出するようになっている。具体的には、演算部５１には、第１の指示が送られる前において予め検出系１８により検出された直近の各棒金ドロア１１，１２，１３内の棒金硬貨の金種および本数が記憶されている。そして、棒金硬貨補充開始指示が送られてから棒金硬貨補充終了指示が送られるまでの期間に棒金ドロア１１，１２，１３が収納庫本体１ａから引き出され、棒金硬貨が棒金ドロア内に補充される。その後、この棒金ドロアが収納庫本体１ａに押し込まれる際に、検出系１８により再び棒金ドロア内の棒金硬貨の金種および本数が検出される。この新たに検出された棒金硬貨の金種および本数と、予め記憶されている棒金硬貨の金種および本数とを比較することにより、新たに収納された棒金硬貨の金種および本数が算出される。
【００５１】
なお、レジ係員等によって棒金硬貨補充開始指示が送られてから棒金硬貨補充終了指示が送られるまでの期間のみにおいて収納庫本体１ａから棒金ドロア１１，１２，１３を引き出すことができるよう、制御器５により当該棒金ドロア１１，１２，１３の引き出し／押込みが規制されるようになっている。
【００５２】
指令部５２は、棒金ドロア１１，１２，１３に新たに収納された棒金硬貨の金種および本数に係る情報が演算部５１から送られるようになっているとともに、貨幣処理機３の各制御ユニット３６，３７に指令を与えるようになっている。具体的には、指令部５２は、操作・表示部５０ａ，５０ｂから棒金硬貨補充終了指示が送られたときに、棒金ドロア１１，１２，１３に新たに収納された棒金硬貨と等価（同じ金額）の貨幣を硬貨釣銭機３Ａの硬貨取出口１１６または紙幣釣銭機３Ｂの紙幣取出口２１６より放出させるよう、制御ユニット３６，３７に指令を与えるようになっている。
【００５３】
この際に、指令部５２は、棒金ドロア１１，１２，１３に新たに収納された棒金硬貨と等価の貨幣を、当該貨幣の数量が最小となるような金種および数量の組合せで硬貨釣銭機３Ａの硬貨取出口１１６または紙幣釣銭機３Ｂの紙幣取出口２１６より放出させるよう指令を与えるようになっている。具体的には、１００円硬貨が５０枚包装された１００円棒金硬貨が１本新たに棒金ドロア１１，１２，１３に収納された場合には、棒金収納庫１に新たに収納された棒金硬貨の金額は５，０００円となるので、貨幣処理機３から放出される貨幣の数量を最小とするよう、紙幣釣銭機３Ｂの紙幣取出口２１６から５千円紙幣が１枚放出されるようになる。また、５０円硬貨が５０枚包装された５０円棒金硬貨が１本新たに棒金ドロア１１，１２，１３に新たに収納された場合には、棒金収納庫１に新たに収納された金額は２，５００円となるので、紙幣釣銭機３Ｂの紙幣取出口２１６から２千円紙幣が１枚（あるいは２千円紙幣が使用不可に設定されている場合は１千円紙幣が２枚）放出されるとともに硬貨釣銭機３Ａの硬貨取出口１１６から５００円硬貨が１枚放出されるようになる。あるいは、１０円硬貨が５０枚包装された１０円棒金硬貨が１本新たに棒金ドロア１１，１２，１３に新たに収納された場合には、棒金収納庫１に新たに収納された金額は５００円となるので、硬貨釣銭機３Ａの硬貨取出口１１６から５００円硬貨が１枚放出されるようになる。
【００５４】
また、操作・表示部５０ａ，５０ｂにおいて操作者によって棒金硬貨補充開始指示が送られてから棒金硬貨補充終了指示が送られるまでの期間に、一の金種の棒金硬貨を棒金ドロア１１，１２，１３に補充するとともに他の金種の棒金硬貨を棒金ドロアから取り出すこともできる。この場合、棒金収納庫１の棒金ドロア１１，１２，１３に収納されている棒金硬貨の合計金額が減少することがある。棒金収納庫１に収納されている棒金硬貨の合計金額が減少したことが演算部５１によって算出されたときには、指令部５２は貨幣処理機３に対して「待避モード」となるよう指令を与える。この場合、指令部５２は貨幣放出部（硬貨取出口１１６または紙幣取出口２１６）に対して貨幣の放出を行わないよう指令を与えることとなる。貨幣処理機３が待避モードとなった場合には、レジ係員等が一度リセットボタン６４を長押しし、その後再びリセットボタン６４を押すことにより、待避モードが解除されて棒金硬貨の補充終了状態とすることができるようになる。
【００５５】
〔作用効果〕
次に、以上のように構成された本実施の形態の釣銭補充管理システムの作用効果について説明する。
本実施の形態の釣銭補充管理システムによれば、制御器５の操作・表示部（ユーザ指示部）５０ａ，５０ｂにおいてレジ係員等の操作者によって第１の指示が送られてから第２の指示が送られるまでの期間に棒金ドロア１１，１２，１３に新たに収納された棒金硬貨の金種および本数を算出し、第２の指示が送られたときに貨幣収納部（硬貨収納部１０６または紙幣収納部２０６）に収納されている貨幣のうち前述の新たに収納された棒金硬貨と等価の貨幣を貨幣放出部（硬貨取出口１１６または紙幣取出口２１６）より放出させるよう指令部５２が指令を与えるようになっている。このため、棒金収納庫１において特定金種の棒金硬貨を補充する際に、操作者は単に操作・表示部５０ａ，５０ｂに第１の指示を与え、その後棒金硬貨を棒金ドロアに補充し、そして第２の指示を与えることにより、補充した棒金硬貨と等価の貨幣が貨幣処理機３から放出されることとなる。このことにより、操作者は補充した棒金硬貨と等価の貨幣を貨幣処理機から手動で取り出すという手間を省くことができるようになり、操作者の負担を軽減することができるとともに一連の補充作業にかかる時間を低減することができる。
【００５６】
また、制御器５には棒金収納庫１の検出系１８により検出された棒金硬貨の金種および有無に関する情報が送られ、この情報に基づいて当該制御器５が貨幣処理機３に直接指令を与えているので、外部にＰＯＳレジスタ等を設置する必要がなくなり、システム全体をよりコンパクトなものとすることができるようになる。
【００５７】
また、制御器５の操作・表示部５０ａ，５０ｂ（ユーザ指示部）が硬貨釣銭機３Ａおよび紙幣釣銭機３Ｂに設けられているので、レジ係員等の操作者の操作性を向上させることができる。
【００５８】
また、制御器５は、操作・表示部５０ａ，５０ｂにおいて操作者によって第１の指示が送られてから第２の指示が送られるまでの期間のみにおいて棒金ドロア１１，１２，１３を収納庫本体１ａから引き出すことができるよう棒金収納庫１の制御を行うようになっているので、操作者による棒金ドロア１１，１２，１３の引き出し／押込みが規制されるようになり、操作者が例えば第１の指示を送る前に棒金ドロアに棒金硬貨を収納してしまうといった誤操作を防止することができるようになる。
【００５９】
また、制御器５の指令部５２は、棒金ドロア１１，１２，１３に新たに収納された棒金硬貨と等価の貨幣を、当該貨幣の数量が最小となるような金種および数量の組合せで貨幣放出部（硬貨取出口１１６または紙幣取出口２１６）より放出させるよう指令を与えるようになっているので、貨幣放出部より放出される代替貨幣の数量が最小となることによりレジ係員等の操作者の操作性を向上させることができる。
【００６０】
〔変形例〕
本実施の形態による釣銭補充管理システムは、上記の態様に限定されるものではなく、様々の変更を加えることができる。
例えば、貨幣処理機３は硬貨釣銭機３Ａおよび紙幣釣銭機３Ｂの両方から構成されるものに限定されることはなく、例えば硬貨釣銭機３Ａのみから構成されていてもよい。
【００６１】
また、貨幣処理機３の貨幣収納部に収納されている貨幣を貨幣放出部より自動的に放出させるように制御する制御手段としては、上記の制御器５に限定されることはなく、例えば制御ユニット１６，３６，３７のいずれか一つまたはこれらを組み合わせたものが上述のような制御を行うようになっていてもよい。また、ユーザ指示部が貨幣処理機３に設けられる代わりに棒金収納庫１に設けられていてもよい。
【図面の簡単な説明】
【００６２】
【図１】本発明による釣銭補充管理システムの一の実施の形態を示すブロック図である。
【図２】図１に示した釣銭補充管理システムの棒金収納庫および貨幣処理機を示す斜視図である。
【図３】図２に示した棒金収納庫の内部構造を示す（ａ）上側斜視図および（ｂ）下側斜視図である。
【図４】図２に示した棒金収納庫における１つの棒金ドロアの変位を（ａ）閉鎖位置、（ｂ）押込位置、（ｃ）検出開始／終了位置、（ｄ）検出終了／開始位置、（ｅ）引出位置の各位置で示す模式図である。
【図５】図２に示した棒金収納庫における各棒金ドロアと変位検出手段との関係を模式的に示す側面図である。
【図６】図２に示した棒金収納庫の制御系を示すブロック図である。
【図７】図３に示したロータリエンコーダおよびセンサの出力信号の例を示す図である。
【図８】図２に示した硬貨釣銭機および紙幣釣銭機の筐体の前部表面に各々設けられた操作・表示部の構成を示す説明図である。
【符号の説明】
【００６３】
１    棒金収納庫
１ａ  収納庫本体
１ｂ  表示パネル
１ｃ  前面パネル
３    貨幣処理機
３Ａ  硬貨釣銭機
３Ｂ  紙幣釣銭機
５    制御器（制御手段）
１１，１２，１３    棒金ドロア
１４  棒金収納庫
１５  透光部分
１６  制御ユニット
１８  検出系
３６  制御ユニット
３７  制御ユニット
５０ａ，５０ｂ  操作・表示部（ユーザ指示部）
５１  演算部
５２  指令部
６０  発報ボタン
６１  両替ボタン
６２  回収ボタン
６３  在高ボタン
６４  リセットボタン
６５  スタートボタン
７０，７２，７４  信号
１０１  硬貨識別センサ
１０２  硬貨繰入機構
１０３  硬貨搬送路
１０４  機内収納箱
１０５  金種選別部
１０６  硬貨収納部
１０８  硬貨繰出機構
１０９  硬貨排出部
１１０  筐体
１１４  硬貨受入口
１１６  硬貨取出口
２０１  紙幣識別センサ
２０２  紙幣繰入ユニット
２０３ａ  周回搬送路
２０３ｂ  接続搬送路
２０４  出金リジェクト部
２０６  紙幣収納部
２０７  紙幣回収カセット
２０８  紙幣放出ユニット
２１０  筐体
２１４  紙幣受入口
２１６  紙幣取出口
【図１】
0004795056.tif 000002
【図２】
0004795056.tif 000003
【図３】
0004795056.tif 000004
【図４】
0004795056.tif 000005
【図５】
0004795056.tif 000006
【図６】
0004795056.tif 000007
【図７】
0004795056.tif 000008
【図８】
0004795056.tif 000009